(57)【要約】【課題】駐車中において、車両用空調装置の冷房用の車室内熱交換器、特に蒸発器７の乾燥を行うことにより、空調開始時の臭い発生、及び細菌増殖を抑制する。【解決手段】イグニッションスイッチがＯＦＦされた車両の駐車中において、車室内熱交換器７を乾燥する。送風継続時間は、臭いが実質的に消えるまでの所定時間とし、外気温度及び外気湿度の関数としてエアコンＥＣＵ５０内の推定手段にて決定される。イグニッションスイッチがＯＮからＯＦＦ状態に成ると、内外気切替え手段は、外気導入モードになり、乗員が不在であることを検出して、空調ダクト内の室内ブロワ１４を上記推定時間が推定した送風継続時間だけ送風機１４を駆動し、車室内熱交換器７に外気を上記所定時間だけ当てて乾燥する。【選択図】図４
2011068155.tif 000002
【特許請求の範囲】
【請求項１】
熱交換用媒体が流れる冷房用の車室内熱交換器（７）を空調ケース（１０）内に備えた車両用空調装置（１００）において、
前記車両の駐車中において、前記熱交換用媒体を流すことなく、前記車室内熱交換器（７）を乾燥するために、前記車室内熱交換器（７）に送風して、前記車室内熱交換器乾燥制御を実行する前記空調ケース（１０）内に設けられた送風機（１４）、及び
前記送風開始により前記車室内熱交換器の臭いが実質的に消えたことを推定して前記送風機（１４）を停止する推定手段（ステップＳ４６及びＳ４７）を有することを特徴とする車両用空調装置。
【請求項２】
前記推定手段（ステップＳ４６及びＳ４７）は、前記車室内熱交換器（７）の上流側を流れる空気の、前記車室内熱交換器（７）の乾燥に影響を与える状態に応じて決定された送風時間を決定する時間決定手段（ステップＳ４６）を備えることを特徴とする請求項１に記載の車両用空調装置。
【請求項３】
前記空気の状態とは、湿度センサ（４６１、４７）が検出した前記空気の湿度からなる
ことを特徴とする請求項２に記載の車両用空調装置。
【請求項４】
前記空気の湿度センサ（４６１）が検出した湿度は、外気湿度からなることを特徴とする請求項３に記載の車両用空調装置。
【請求項５】
前記車室内熱交換器（７）の上流側に、車両の内部の空気を取り込んで循環させる内気循環モードと、車両外部の空気を導入する外気導入モードとを切替える内外気切替え手段（１３）を有し、前記車両が駐車したときに、前記外気導入モードとすることを特徴とする請求項１ないし４のいずれか一項に記載の車両用空調装置。
【請求項６】
前記車室内熱交換器乾燥制御は、車室内に乗員が不在であると乗員不在判定手段（Ｓ４０及びＳ４２）が判定したときに行うことを特徴とする請求項１ないし５のいずれか一項に記載の車両用空調装置。
【請求項７】
前記乗員不在判定手段（Ｓ４０及びＳ４２）は、前記車両の運転スイッチがオン状態からオフ状態に切り替わり、ドアが開放されてから閉じられ、閉じた後に所定時間経過したときに乗員が不在であると判定することを特徴とする請求項６に記載の車両用空調装置。
【発明の詳細な説明】
【技術分野】
【０００１】
本発明は、駐車終了後の車室内熱交換器からの臭いを抑制する車両用空調装置に関するものである。
【背景技術】
【０００２】
従来、特許文献１に記載の車両用空調装置として、蒸発器の温度を所定範囲内で制御することにより乾き臭いを防止するものがある。これは、車両エンジン等の圧縮機駆動源の省動力効果と、臭い発生防止による快適性との両立を図るものである。
【０００３】
この、特許文献１の記載によれば、蒸発器吹出空気への臭気発生は、蒸発器表面での凝縮水が乾ききる直前に蒸発器のフィン表面から付着臭い成分が離脱することにより開始され、そして、時間の経過とともに徐々に臭気強度が増大する。
【０００４】
上記蒸発器吹出空気への臭気発生の時期は、蒸発器吹出温度の一時的な低下が生じる時期と合致する。そこで、特許文献１の構成は、圧縮機停止時に蒸発器吹出温度が高温側へ上昇する過程において、蒸発器表面の凝縮水が乾ききる直前に生じる、蒸発器吹出温度の一時的な温度低下を判定して、圧縮機を再起動させるものである。
【０００５】
具体的には、圧縮機の停止時に、蒸発器の冷却度合が高温側へ上昇する過程において、蒸発器表面の凝縮水が乾ききる直前に生じる、蒸発器吹出温度の一時的な低下が生じると、これを検出して、圧縮機を再起動させる。
【０００６】
この再起動により、蒸発器の冷媒蒸発潜熱による冷却作用が再開されて、吹出温度の一時的低下の開始直後に凝縮水が再度発生し、蒸発器のフィン表面を濡らすようになる。この結果、蒸発器のフィン表面から臭い成分が離脱することを未然に防止でき、臭気発生を阻止できる。
【先行技術文献】
【特許文献】
【０００７】
【特許文献１】特開２００１−１３０２４７号公報
【発明の概要】
【発明が解決しようとする課題】
【０００８】
上記特許文献１の技術によると、駐車終了後の車両用空調装置の空調制御開始時に、蒸発器（車室内熱交換器）を収納した空調用ダクト内に蓄積された臭いが、車室内に吹き出されるという問題があった。
【０００９】
換言すれば、上記従来の車両用空調装置において、乗員乗車時に空調運転が開始されてブロワによる車室内への送風が行われた場合には、圧縮機の上記再起動による凝縮水の再発生が間に合わず、送風初期に空調ケース内にこもった臭いのする水分を含んだ空気が、空調開始時に車室内に向けて吹き出されてしまうことがある。
【００１０】
本発明は、このような従来の技術に存在する問題点に着目して成されたものであり、その目的は、駐車中において、車室内熱交換器の乾燥を行うことにより、空調開始時の臭い発生、及び細菌増殖を抑制できる車両用空調装置を提供することにある。
【００１１】
従来技術として列挙された特許文献の記載内容は、この明細書に記載された技術的要素の説明として、参照によって導入ないし援用することができる。
【課題を解決するための手段】
【００１２】
本発明は上記目的を達成するために、下記の技術的手段を採用する。すなわち、請求項１に記載の発明では、熱交換用媒体が流れる冷房用の車室内熱交換器（７）を空調ケース（１０）内に備えた車両用空調装置（１００）において、車両の駐車中において、熱交換用媒体を流すことなく、車室内熱交換器（７）を乾燥するために、車室内熱交換器（７）に送風して、車室内熱交換器乾燥制御を実行する空調ケース（１０）内に設けられた送風機（１４）、及び送風開始により車室内熱交換器の臭いが実質的に消えたことを推定して送風機（１４）を停止する推定手段（ステップＳ４６及びＳ４７）を有することを特徴としている。
この発明によれば、車両が駐車すると、空調ケース（１０）内に設けられた送風機（１４）にて車室内熱交換器（７）に送風して車室内熱交換器（７）を乾燥させることが出来るため、臭いがする水分を含んだ風が駐車終了後の空調開始時に吹き出すのを抑止できる。かつ、駐車中における細菌の繁殖を抑えることができるので、車室内熱交換器（７）の汚れを緩和することができ、更に、臭いの原因を少なくすることができ、また、車室内熱交換器（７）の腐食を抑えることができ、車両用空調装置の寿命を長くすることが出来る。
【００１３】
請求項２に記載の発明では、推定手段（ステップＳ４６及びＳ４７）は、車室内熱交換器（７）の上流側を流れる空気の、車室内熱交換器（７）の乾燥に影響を与える状態に応じて決定された送風時間を決定する時間決定手段（ステップＳ４６）を備えることを特徴としている。
【００１４】
この発明によれば、車室内熱交換器（７）の上流側を流れる空気の、車室内熱交換器（７）の乾燥に影響を与える状態に応じて決定された送風時間だけ、車室内熱交換器（７）へ送風機（１４）により送風するから、最小限の動力で確実に車室内熱交換器（７）を乾燥させることが出来る。
【００１５】
請求項３に記載の発明では、空気の状態とは、湿度センサ（４６１、４７）が検出した空気の湿度からなることを特徴としている。
【００１６】
この発明によれば、空気の湿度に応じて決定された送風時間だけ、車室内熱交換器（７）へ送風機（１４）により送風するから、最小限の動力で、より確実に車室内熱交換器（７）を乾燥させることが出来る。
【００１７】
請求項４に記載の発明では、空気の湿度センサ（４６１）が検出した湿度は、外気湿度からなることを特徴としている。
【００１８】
この発明によれば、乾燥に直接影響を与える外気湿度に応じて決定された送風時間だけ、車室内熱交換器（７）を乾燥するために、車室内熱交換器（７）へ送風機（１４）により送風するから、最小限の動力で、より正確に車室内熱交換器（７）を乾燥することが出来る。
【００１９】
請求項５に記載の発明では、車室内熱交換器（７）の上流側に、車両の内部の空気を取り込んで循環させる内気循環モードと、車両外部の空気を導入する外気導入モードとを切替える内外気切替え手段（１３）を有し、車両が駐車したときに、外気導入モードとすることを特徴としている。
【００２０】
この発明によれば、車室内熱交換器乾燥制御は、外気導入モードで実行されるから、外部の比較的乾燥した空気を用いて車室内熱交換器（７）を乾燥することが出来る。また、臭いや湿気が車室内にこもることを抑制し易い。
【００２１】
請求項６に記載の発明では、車室内熱交換器乾燥制御は、車室内に乗員が不在であると乗員不在判定手段（Ｓ４０及びＳ４２）が判定したときに行うことを特徴としている。
【００２２】
この発明によれば、車室内熱交換器乾燥時は臭いが発生するが、車室内熱交換器乾燥制御を車室内に乗員が不在であることを判定した時に行うようにしたから、臭いにより乗員に不快感を与えることを防止することができる。
【００２３】
請求項７に記載の発明では、乗員不在判定手段（Ｓ４０及びＳ４２）は、車両の運転スイッチがオン状態からオフ状態に切り替わり、ドアが開放されてから閉じられ、閉じた後に所定時間経過したときに乗員が不在であると判定することを特徴としている。
【００２４】
この発明によれば、乗員の不在をより確実に検出して、臭いにより乗員に不快感を与えることを防止することができる。
【００２５】
なお、特許請求の範囲および上記各手段に記載の括弧内の符号ないし説明は、後述する実施形態に記載の具体的手段との対応関係を分かり易く示す一例であり、発明の内容を限定するものではない。
【図面の簡単な説明】
【００２６】
【図１】本発明の第１実施形態における車両用空調装置、及び電源系統の概略構成を示す模式図である。
【図２】上記実施形態における上記車両用空調装置の空調制御装置周りの構成を示すブロック図である。
【図３】上記実施形態における上記空調制御装置による基本的な空調制御処理を示したフローチャートである。
【図４】上記実施形態におけるブロワ電圧決定及び蒸発器の乾燥制御の詳細を示すフローチャートである。
【図５】上記実施形態における吸込口モード決定処理の詳細を示すフローチャートである。
【図６】上記実施形態におけるウォータポンプ作動決定処理の詳細を示すフローチャートである。
【発明を実施するための形態】
【００２７】
以下に、図面を参照しながら本発明を実施するための複数の形態を説明する。各形態において先行する形態で説明した事項に対応する部分には同一の参照符号を付して重複する説明を省略する場合がある。各形態において構成の一部のみを説明している場合は、構成の他の部分については先行して説明した他の形態を適用することができる。
【００２８】
各実施形態で具体的に組み合わせが可能であることを明示している部分同士の組み合わせばかりではなく、特に組合せに支障が生じなければ、明示していなくても実施形態同士を部分的に組み合せることも可能である。
【００２９】
（第１実施形態）
以下、第１実施形態について図１〜図６を用いて説明する。第１実施形態では、図１の車両用空調装置１００をハイブリッド自動車用の空調装置に適用した例について説明する。図１は車両用空調装置１００、及び電源系統の概略構成を示す模式図である。図２は車両用空調装置１００の空調制御装置周りの構成を示すブロック図である。
【００３０】
上記ハイブリッド自動車は、ガソリン等の液体燃料を爆発燃焼させて動力を発生させる走行用内燃機関をなすエンジン３０、走行補助用電動機機能及び発電機機能を備える車載負荷１０１、該車載負荷１０１内の図示しない走行補助用の電動発電機、エンジン３０への燃料供給量や点火時期等を制御するエンジン用電子制御装置６０（以下、エンジンＥＣＵ６０ともいう）、及び上記車載電気負荷１０１内の上記電動発電機及びエンジンＥＣＵ６０等に電力を供給するバッテリ１０２を備える。
【００３１】
また、ハイブリッド自動車は、エンジンＥＣＵ６０に制御信号を出力するハイブリッド電子制御装置７０（以下、ハイブリッドＥＣＵ７０ともいう）を備えている。ハイブリッドＥＣＵ７０は、電動発電機及びエンジン３０のうちいずれの駆動力を駆動輪に伝達するかの駆動源の切替え制御を実行する機能を持っている。
【００３２】
また、バッテリ１０２の充放電を制御し、バッテリ１０２の残存容量を管理する電池ＥＣＵ１０３を備えている。上記電池ＥＣＵ１０３は、車室内空調または走行等によって消費した電力を充電するための充電装置を備えている。
【００３３】
上記バッテリ１０２には、例えばニッケル水素電池またはリチウムイオン電池等が用いられる。このバッテリ１０２及び電池ＥＣＵ１０３からなる車載電源装置１０４は、電力供給源としての電気スタンドや商用電源（家庭用電源）に接続するために、コンセントとプラグ、または電磁誘導を利用する結合器から成る給電用結合器１０５を備えている。本発明において、単に給電用結合器というときは、コンセントとプラグからなる結合器と電磁誘導タイプの結合器のいずれか一方、または、双方を指し示している。
【００３４】
これら、いずれかの給電用結合器１０５は、本発明に言う外部電源導入手段を構成する。この給電用結合器１０５に、電源供給源と成る商用電源１０６または太陽電池１０７を接続することにより、バッテリ１０２の充電等を行うことができる。
【００３５】
なお、太陽電池１０７は、車庫等の建屋の屋根に設置されている。また、１０８は、双方向性コンバータである。車載のバッテリ１０２とは別に車載太陽電池１０９専用のバッテリが設けられており、この専用バッテリからの車載太陽電池１０９の電力は、車載電源装置内の図示しないスイッチ手段及びコンバータ手段（電磁スイッチ及びＤＣ−ＤＣコンバータ）を経由して送風機となる室内ブロワ１４に供給可能である。この車載太陽電池１０９は、車両の天井部に設置されたものである。本発明において、単に太陽電池というときは、上記太陽電池１０７と車載太陽電池１０９のいずれか一方、または、双方を指し示している。
【００３６】
なお、ハイブリッド自動車は、具体的には、以下のような制御を行う。
（１）車両が停止しているときは、基本的にエンジン３０を停止させる。
（２）走行中は、減速時を除き、エンジン３０で発生した駆動力を駆動輪に伝達する。なお、減速時は、エンジン３０を停止させて電動発電機にて発電してバッテリ１０２に充電する（電気走行モード）。
（３）発進時、加速時、登坂時及び高速走行時等の走行負荷が大きいときには、電動発電機を電動モータとして機能させて、エンジン３０で発生した駆動力に加えて、電動発電機に発生した駆動力を駆動輪に伝達する（ハイブリッド走行モード）。
（４）バッテリの充電残量が充電開始目標値以下になったときには、エンジン３０の動力を電動発電機に伝達して、電動発電機を発電機として作動させてバッテリの充電を行う。
（５）車両が停止しているときに、バッテリの充電残量が充電開始目標値以下になったときには、エンジンＥＣＵ６０に対してエンジン３０を始動する指令を発するとともに、エンジン３０の動力を電動発電機に伝達する。
【００３７】
次に、図１の車両用空調装置１００は、車室内空調運転が実施可能な装置であり、駐車中、例えば乗員乗車前に、車載電源装置１０４を経由した電力で室内用ブロワ（送風機ともいう）１４を駆動して送風することが可能である。
【００３８】
車両用空調装置１００は、図１に示すように、車室内に空調空気を導く空気通路１０ａを形成する空調ケース１０、空調ケース１０内において空気流を発生させる送風手段としての室内用ブロワ１４、空調ケース１０内を流れる空気を冷却するための冷凍サイクル１、空調ケース１０内を流れる空気を加熱するための冷却水回路３１及び、エアコン電子制御装置５０（以下、エアコンＥＣＵ５０ともいう）等を備える。
【００３９】
空調ケース１０は、ハイブリッド自動車の車室内の前方付近に設けられている。空調ケース１０の最も上流側は、内外気切替箱を構成する部分であり、車室内の空気（以下、内気ともいう）を取り入れる内気吸込口１１、及び車室外の空気（以下、外気ともいう）を取り入れる外気吸込口１２が形成されている。
【００４０】
内気吸込口１１及び外気吸込口１２の内側には、内外気切替ドア１３が回動自在に設けられている。この内外気切替ドア１３は、サーボモータ等のアクチュエータにより駆動されて、吸込口モードを内気循環モード、または外気導入モード等に切り替える内外気切替え手段を構成している。
【００４１】
空調ケース１０の最も下流側は、吹出口を構成する部分であり、デフロスタ開口部、フェイス開口部およびフット開口部が形成されている。そして、デフロスタ開口部には、デフロスタダクト２３が接続されて、このデフロスタダクト２３の最下流端には、車両のフロント窓ガラスの内面に向かって主に温風を吹き出すデフロスタ吹出口１８が開口されている。
【００４２】
フェイス開口部には、フェイスダクト２４が接続されて、このフェイスダクト２４の最下流端には、乗員の頭胸部に向かって主に冷風を吹き出すフェイス吹出口１９が開口されている。さらに、フット開口部には、フットダクト２５が接続されて、このフットダクト２５の最下流端には、乗員の足元部に向かって主に温風を吹き出すフット吹出口２０が開口されている。
【００４３】
各吹出口１８，１９，２０の内側には、２個の吹出口切替ドア２１及び２２が回動自在に取り付けられている。２個の吹出口切替ドア２１及び２２は、サーボモータ等のアクチュエータによりそれぞれ駆動されて、吹出口モードをフェイスモード、バイレベルモード、フットモード、フットデフロスタモードまたはデフロスタモードのいずれに切り替えることが可能である。
【００４４】
室内用ブロワ１４は、ブロワケース、ファン１６、直流モータ１５（ブロワモータともいう）よりなり、この直流モータ１５への印加電圧に応じて、直流モータ１５の回転速度が決定される。つまり、直流モータ１５への印加電圧がエアコンＥＣＵ５０からの制御信号に基づいて制御されることにより、室内用ブロワ１４の送風量が制御される。
【００４５】
図１の冷凍サイクル１は、インバータ８０により回転数が制御されて冷媒を圧縮する圧縮機２、圧縮された冷媒を凝縮液化させる凝縮器３、凝縮液化された冷媒を気液分離して液冷媒のみを下流に流す気液分離器５、液冷媒を減圧膨張させる膨張弁６、減圧膨張された冷媒を蒸発ないし気化させる蒸発器（車室内熱交換器ともいう）７、及びこれらを環状に接続する冷媒配管等から構成されている。
【００４６】
室内用ブロワ１４よりも送風空気の下流側における空調ケース１０内の空気通路１０ａには、上流側から下流側に進むにしたがい順に、蒸発器７（冷却用の車室内熱交換器の一例でありエバポレータともいう）、エアミックスドア１７、ヒータコア３４が配置されている。
【００４７】
圧縮機２は、内蔵された電動モータにより駆動され、回転数制御が可能であり、回転数に応じて冷媒吐出流量が可変出来る。圧縮機２は、インバータ８０により周波数が調整された交流電圧が印加されて、内部の電動モータの回転速度が制御される。インバータ８０は車載のバッテリ１０２から直流電源の供給を受け、エアコンＥＣＵ５０により制御される。
【００４８】
凝縮器３は、エンジンコンパートメント等の車両が走行する際に生じる走行風を受け易い場所に設けられ、内部を流れる冷媒と室外ファン４により送風される外気および走行風とを熱交換する室外熱交換器である。
【００４９】
冷却水回路３１は、電動のウォータポンプ３２によってエンジン３０のウォータジャケットで暖められた冷却水を循環させる回路であり、ラジエータ及びサーモスタット（いずれも図示せず）並びにヒータコア３４を有している。
【００５０】
上記ヒータコア３４は、内部にエンジン３０を冷却した冷却水（熱交換用媒体）が流れ、この冷却水を暖房用熱源として空調ケース１０を流れる空気を再加熱する。
【００５１】
また、水温センサ３３は、冷却水回路３１を流れる冷却水の水温ＴＷ（図２）を検出する温度検出手段である。水温センサ３３によって検出された信号は、図２のエアコンＥＣＵ５０に入力される。
【００５２】
図１の蒸発器７は、室内用ブロワ１４直後の空気通路全体を横断するように配置されており、室内用ブロワ１４から吹き出された空気全部が通過するようになっている。蒸発器７は、内部を流れる冷媒（熱交換用媒体）と空気通路１０ａを流れる空気との間で熱交換が行われて当該空気を冷却する空気冷却作用及び自身を通過する空気の除湿作用を有する。
【００５３】
蒸発器７よりも下流側であってヒータコア３４よりも上流側の通風路には、ヒータコア３４を通る空気とヒータコア３４を迂回する空気の風量比率を調整できるエアミックスドア１７が設けられている。
【００５４】
エアミックスドア１７は、アクチュエータ等によりそのドア本体の位置を変化させて、空調ケース１０内の蒸発器７よりも下流の通路の一部を塞ぐことで、車室内へ吹き出す空気の吹出温度を調整する温度調整手段である。
【００５５】
図１の冷凍サイクル１内の冷媒圧力センサ４３は、冷凍サイクル１の高圧側の流路に設けられ、凝縮器３よりも上流の冷媒の高圧圧力、すなわち圧縮機２の吐出圧力Ｐｒｅ（図２）を検出する。
【００５６】
蒸発器温度センサ４４は、蒸発器７における所定箇所の温度（本実施形態ではフィン温度）である図２の蒸発器温度ＴＥ（蒸発器７に関する温度情報の一つ）を検出する温度検出手段である。
【００５７】
蒸発器上流空気温度センサ４５は、空気通路１０ａを流れる空気の蒸発器７よりも上流における空気温度である図２の蒸発器上流温度ＴＵ（蒸発器７に関する温度情報の一つ）を検出する温度検出手段である。
【００５８】
蒸発器下流空気温度センサ４６は、空気通路１０ａを流れる空気の蒸発器７よりも下流における空気温度である図２の蒸発器下流温度ＴＬ（蒸発器７に関する温度情報の一つ）を検出する温度検出手段である。蒸発器温度センサ４４、蒸発器上流空気温度センサ４５及び蒸発器下流空気温度センサ４６のそれぞれによって検出された信号は、図２のエアコン制御ＥＣＵ５０に入力される。
【００５９】
図１の車室内のフロント窓４９ａの内面付近には、検出装置１１０が設けられ、この検出装置１１０内にフロント窓４９ａの内面付近の空気の代表的な湿度と温度を検出できる湿度センサ４７と空気温度センサ４８と、ガラス温度検出温度センサ４９（窓温度センサ４９ともいう）が設けられている。湿度センサ４７は、感湿膜の誘電率が空気の相対湿度に応じて変化し、それにより、静電容量が空気の相対湿度に応じて変化する容量変化型のものである。
【００６０】
エアコンＥＣＵ５０は、湿度センサ４７の出力値に基づいて、フロント窓付近の車室内空気の相対湿度ＲＨを演算する。すなわち、エアコンＥＣＵ５０は、湿度センサ４７の出力値を相対湿度ＲＨに変換するための所定の演算式を予め記憶しており、この演算式に湿度センサ４７の出力値を適用することにより、相対湿度ＲＨを演算する。下記の数式１は、この湿度演算式の具体例である。
（数式１）
ＲＨ＝αＶ＋β
但し、Ｖは湿度センサ４７の出力値、αは制御係数、βは定数である。
【００６１】
次に、エアコンＥＣＵ５０は、窓温度センサ４９の出力値を予め記憶されている所定の演算式に適用することにより、窓ガラス温度を演算する。更に、相対湿度ＲＨ及び窓ガラス温度に基づいて窓ガラス表面相対湿度ＲＨＷを演算する。
【００６２】
すなわち、湿り空気線図を用いることにより、相対湿度ＲＨと上記空気温度と上記窓ガラス温度の３つから上記窓ガラス表面相対湿度ＲＨＷを演算する。これについては、特開２００７−８４４９号公報に詳しく開示されている。
【００６３】
図２に示すエアコンＥＣＵ５０は、車室内の空調運転を制御するエアコン電子制御装置であり、図示しないマイクロコンピュータを有する。このエアコンＥＣＵ５０には、車室内前面に設けられた操作パネル５１上の各種スイッチからの信号と、内気センサ４０、外気センサ４１、日射センサ４２、冷媒圧力センサ４３、蒸発器温度センサ４４、蒸発器上流空気温度センサ４５、蒸発器下流空気温度センサ４６、水温センサ３３、湿度センサ４７、空気温度センサ４８、及び窓温度センサ４９等からのセンサ信号が入力される入力回路、及び各種アクチュエータに出力信号を送る出力回路を備えている。
【００６４】
エアコンＥＣＵ５０内の図示しないマイクロコンピュータは、ＲＯＭ（読み込み専用記憶装置）、ＲＡＭ（読み込み書き込み可能記憶装置）等のメモリおよびＣＰＵ（中央演算装置）等から構成されており、操作パネル５１等から送信された運転命令に基づいた演算を行う。
【００６５】
また、エアコンＥＣＵ５０は、圧縮機２の容量等を算出する。そして、エアコンＥＣＵ５０は、演算結果に基づいてインバータ８０に対して制御信号を出力し、インバータ８０によって圧縮機２の吐出流量が制御される。
【００６６】
また、操作パネル５１の操作によって、空調装置の運転、停止及び設定温度などの操作信号などがエアコンＥＣＵ５０に入力され、かつ各種センサの検出信号が入力される。また、エアコンＥＣＵ５０は、図１のエンジンＥＣＵ６０、及びハイブリッドＥＣＵ７０等と通信を行う。
【００６７】
そして、各種の演算結果に基づいて、室内用ブロワ１４、室外ファン４、エアミックスドア１７、ウォータポンプ３２、内外気切替ドア１３、並びに吹出口切替ドア２１及び２２等の各機器の運転を制御する。
【００６８】
図３は、エアコンＥＣＵ５０による基本的な制御処理を示したフローチャートである。図３の基本的な制御処理がスタートすると、エアコンＥＣＵ５０は以降の各ステップに係る処理を実行していく。なお、ステップＳ２からステップＳ１０の処理は２５０ｍｓに１回行われる。
【００６９】
（イニシャライズ）
まず、ステップＳ１でエアコンＥＣＵ５０内のＲＡＭ等に記憶されている各パラメータ等を初期化する。
【００７０】
（スイッチ信号読み込み）
次に、ステップＳ２で操作パネル５１等からの各種スイッチ信号等を読み込む。
【００７１】
（センサ信号読み込み）
次に、ステップＳ３で各種センサからの信号を読み込む。
【００７２】
（ＴＡＯ算出基本制御）
次に、ステップＳ４で、ＲＯＭに記憶された下記の数式２を用いて、車室内に吹き出す空気の目標吹出温度ＴＡＯを算出する。
【００７３】
（数式２）
ＴＡＯ＝Ｋｓｅｔ×Ｔｓｅｔ−Ｋｒ×Ｔｒ−Ｋａｍ×Ｔａｍ−Ｋｓ×Ｔｓ＋Ｃ
ここで、Ｔｓｅｔは、温度設定スイッチにて設定された設定温度、Ｔｒは図２の内気センサ４０にて検出された内気温度、Ｔａｍは外気センサ４１にて検出された外気温度、Ｔｓは日射センサ４２にて検出された日射量である。
【００７４】
また、Ｋｓｅｔ、Ｋｒ、Ｋａｍ及びＫｓは、各ゲインであり、Ｃは全体にかかる補正用の定数である。そして、このＴＡＯ及び上記各種センサからの信号により、図１のエアミックスドア１７のアクチュエータの制御値及びウォータポンプ３２の回転数の制御値等を算出する。
【００７５】
（エアミックスドア開度決定）
次に、図３のステップＳ５で、ＲＯＭに記憶された下記の数式３を用いて、エアミックスドア１７の開度決定を実行する。
【００７６】
（数式３）
開度＝（（ＴＡＯ−ＴＥ）／（ＴＷ−ＴＥ））×１００（％）
この数式３において、ＴＥは、図１の蒸発器温度センサ４４が検出する蒸発器温度（蒸発器フィン温度）、ＴＷは水温センサ３３が検出する冷却水温度である。
【００７７】
（ブロワ電圧決定及び蒸発器の乾燥制御）
次に、図３のステップＳ６におけるブロワ電圧決定及び蒸発器乾燥制御を実施する。このステップＳ６は、具体的には、図４にしたがって実行する。
【００７８】
図４は、図３のステップＳ６におけるブロワ電圧決定及び蒸発器乾燥制御の詳細を示すフローチャートである。ここで決定されるブロワ電圧は、図１の車載電源装置１０４からの電力により駆動される室内用ブロワ１４に印加される電圧であり、この第１実施形態では、外部電源となる商用電源１０６または建屋上の太陽電池１０７からの電力を利用している。
【００７９】
図４に示すように、制御がスタートすると、ステップＳ４０でイグニッションスイッチ（以下、ＩＧスイッチともいう、純粋な電気自動車では運転を開始するためのメインスイッチのことであり、これらをまとめて本発明では運転スイッチともいう）がＯＮからＯＦＦに移行したか否かを判定する。つまり、ＩＧスイッチがＯＮからＯＦＦに移行した状態であれば、駐車したと判定し、ＯＮ状態のままであれば駐車中以外の状態であると判定するものである。
【００８０】
このとき、ＩＧスイッチがＯＮ状態であり、駐車中でない（ＮＯ）と判定すると、乗員が乗車中の空調運転が行われる可能性が高く、ブロワ電圧は、ステップＳ４１に示すように、予めＲＯＭに記憶されている目標吹出温度ＴＡＯとブロワ電圧との関係を表した周知のマップにしたがって決定される。そして、ステップＳ６のブロワ電圧決定制御を終了する。このマップによれば、目標吹出温度ＴＡＯに対する適正なブロワ電圧を考慮して決定することができる。
【００８１】
ステップＳ４０で、ＩＧスイッチがＯＦＦ状態であると判定すると、さらに、乗員不在判定手段を成すステップＳ４２で、車両のドアが一旦開いてから閉められた後所定時間（ここでは５分）が経過しているか否かを判定する。なお、乗員の重量を感知するシートスイッチの信号を併用するようにしても良い。
【００８２】
この判定により、ドアの開閉動作があることで、車内に人がいない可能性が高いことを検出でき、さらに閉じてから５分経過を確認することで、乗員がいないことを確実に検出できる。
【００８３】
換言すれば、ドアが開閉したことで乗員が車内にいる可能性は低くなったと考えられるが、念のため、５分間余裕をみることで、図１の蒸発器７乾燥中の臭いにより乗員が不快にならないように配慮している。
【００８４】
このため、この後、蒸発器７を乾燥する途中で発生する臭いが車内に流出したとしても、人に不快感を与えることがない。このステップＳ４２の乗員不在判定は、当該所定時間（５分）が経過していると判定されるまで繰り返される。
【００８５】
そして、当該所定時間が経過していると判定すると、結露判定手段を成すステップＳ４３で、駐車前に蒸発器７が結露した可能性があるか否かを判定するために、直近のＩＧスイッチがＯＮ状態での図１の圧縮機（コンプレッサともいう）２のＯＮ時間（運転時間）が所定時間（ここでは５分）を超えているか否かの結露判定を実行する。
【００８６】
この結露判定により、駐車前に蒸発器７が結露した可能性があるか否かを判定することができる。ステップＳ４３で、上記ＯＮ時間が５分以内であると判定すると、蒸発器７は乾燥していると判定して、ステップＳ４８に進み、ブロワ電圧を０Ｖに決定して、ブロワ電圧決定及び蒸発器７乾燥制御を終了する。
【００８７】
つまり、室内用ブロワ１４を運転せず、蒸発器７乾燥運転を行わない。このように、蒸発器７が既に乾いていると判断される場合は、蒸発器７乾燥制御は行わないことにより電力を節約できる。
【００８８】
ステップＳ４３において、上記ＯＮ時間が５分を超えていると判定すると、コンセント等の外部電源からの電力供給があるか（例えば、図１の給電用結合器１０５を使用したプラグインによる給電状態にあるか）否かを判定する（ステップＳ４４）。
【００８９】
ステップＳ４４で、外部からの電力供給がないと判定すると、バッテリあがり等の電力不足を考慮して、ステップＳ４８に進み、ブロワ電圧を０Ｖに決定して、ブロワ電圧決定及び蒸発器７乾燥制御を終了する。つまり、室内用ブロワ１４を運転せず、蒸発器７の乾燥運転を行わない。
【００９０】
一方、ステップＳ４４で、外部からの電力供給があると判定すると、上記のバッテリ上がりを心配することがないため、ステップＳ４５でブロワ電圧をバッテリ電圧の半分程度の電圧である６Ｖに決定し、室内用ブロワ１４の直流モータ１５に６Ｖを印加する。
【００９１】
これにより、室内用ブロワ１４は６Ｖに相当する中レベルの風量の送風を蒸発器７に対して行い、乾燥制御が開始される。なお、車両に対して、外部電源（図１の商用電源１０６または太陽電池１０７）で急速充電が行われていると図１の電池ＥＣＵ１０３が判定した場合は、乗員が短時間で運転動作を再開する可能性が高く、蒸発器７の乾燥運転を行うと、蒸発器７から発生する臭いが車室内に残ったり、外気の取入れにより車室内温度が低下したりするので、蒸発器７乾燥運転は行わないようにしている。
【００９２】
次に、ステップＳ４６で、図２の外気センサ４１が検出した外気温Ｔａｍと、外気湿度センサ４６１が検出した外気湿度の関数として所定時間を決定する。この所定時間とは、この時間だけ図１の室内用ブロワ１４を回転させれば、充分に蒸発器７が乾燥するであろうと推定される乾燥時間である。
【００９３】
例えば、現時点の外気温が−３℃で外気湿度が５０％の場合は２０分を所定時間とする。また、外気温が−３℃で外気湿度が９０％の場合は３０分を所定時間とする。換言すれば、ステップＳ４６で、蒸発器７からの臭いを感じないレベルまで何分かかるかを予測する。外気温が高いほど乾燥時間は短く、また、湿度が低いほど、乾燥時間は短い。
【００９４】
なお、ステップＳ４６で用いるマップは、外気湿度５０％と９０％の特性曲線だけしか図示していないが、実際のマップは５０％から９０％にかけて多数の特性曲線を有する。つまり、ステップＳ４６に記載したマップは外気湿度５０％から外気湿度９０％の間を省略して図示している。
【００９５】
よって、外気温３℃で外気湿度が８０％のときの所定時間は、約２２分付近となる。なお、マップを記憶するメモリ量を削減するために、特性曲線の数を少なくして、補完計算により外気温と外気湿度から所定時間を求めても良い。
【００９６】
次に、ステップＳ４７で蒸発器７の乾燥運転開始から所定時間（ステップＳ４６で求めた所定時間、つまり外気温と外気湿度の関数値＝ｆ（外気温、湿度））を経過したか否かを判定する。
【００９７】
ステップＳ４７で所定時間が経過したと判明した後に、蒸発器７乾燥制御終了フラグが立てられる。そして、次にステップＳ４８で、ブロワ電圧を０ボルトとして、送風を停止して乾燥を終了する。また、ステップＳ４７で所定時間が経過しない場合は、ステップＳ４５に戻る。
【００９８】
（吸込口モード決定）
次に、図３のステップＳ７の吸込口モード決定処理を実施する。このステップＳ７は、具体的には、図５にしたがって実行し、目標吹出温度ＴＡＯ、及び蒸発器乾燥制御の有無により吸込口モードを決定する。
【００９９】
図５は、図３のステップＳ７における吸込口モード決定処理の詳細を示すフローチャートである。
【０１００】
図５のステップＳ７がスタートすると、ステップＳ５０で、ＩＧスイッチがＯＮからＯＦＦに移行したか否かを判定する。このときＩＧスイッチがＯＮからＯＦＦに移行した状態であれば、駐車を開始したと判定する。このとき、ＩＧスイッチがＯＮ状態であり、駐車中でない（ＮＯ）と判定した場合は、乗員が乗車中の空調運転（図１の圧縮機２の運転）が行われる可能性が高い。
【０１０１】
このときの吸込口モードは、ステップＳ５１に示すように、現在の制御がオートモードか否かを判定し、オートモードでなくマニュアルモードのときは、乗員の操作による入力信号に従って、ステップＳ５５で外気導入率０％の内気循環モード（ＲＥＣ）または外気導入率１００％の外気導入モード（ＦＲＳ）のいずれかを決定する。
【０１０２】
ステップＳ５１でオートモードであると判定された場合は、ステップＳ５６で、予めＲＯＭに記憶されている目標吹出温度ＴＡＯと吸込口モードとの関係を表したマップにしたがって吸込口モードが決定される。
【０１０３】
ステップＳ５０で、ＩＧスイッチがＯＦＦ状態であると判定すると、ステップＳ５９１に進み、外気導入率を１００％の外気導入モードに決定して吸込口モード決定制御を終了する。
【０１０４】
（吹出口モード決定）
次に、図３のステップＳ８で、ＲＯＭに記憶されたマップから、目標吹出温度ＴＡＯに対応する吹出口モードを周知のように決定する。具体的には、目標吹出温度ＴＡＯが高いときには、フットデフモード、フットモードの順に選択され、目標吹出温度ＴＡＯの低下に伴ってバイレベルモード、さらにはフェイスモードの順に選択される。また、マニュアル操作が選択されている場合は、乗員操作信号に従っていずれかの吹出口が選択される。
【０１０５】
（圧縮機回転数等決定）
次に、図３のステップＳ９で図１の圧縮機２の回転数の決定を実行する。上述のようにＩＧスイッチＯＦＦでの蒸発器７乾燥制御が実行されるときは、圧縮機２は回転しておらず、蒸発器７に熱交換用媒体となる冷媒が流れていない。
【０１０６】
ＩＧスイッチがＯＮしており、かつ図２の操作パネル５１内のエアコンスイッチがＯＮされているときに圧縮機２の運転状態を決定する。図２のエアコンＥＣＵ５０は、蒸発器温度センサ４４の検出値である蒸発器温度ＴＥに基づいて、圧縮機２の回転数を周知のごとく決定する。
【０１０７】
具体的には、予めＲＯＭに記憶されたマップにしたがって、蒸発器温度ＴＥに対応する圧縮機２の回転数を演算して決定する。図３のステップＳ１１でエアコンＥＣＵ５０は、図１のインバータ８０に対して、決定された回転数に圧縮機２を制御するための制御信号を送信する。インバータ８０は、送信された制御信号に基づいて、圧縮機２内の多相交流モータの回転数を制御する。
【０１０８】
（ウォータポンプ作動決定）
次に、図３のステップＳ１０のウォータポンプ作動決定処理を実施する。このステップＳ１０は、具体的には図６にしたがって実行する。図６は、図３のステップＳ１０におけるウォータポンプ作動決定処理の詳細を示すフローチャートである。
【０１０９】
図６に示すように、図３のステップＳ１０がスタートすると、図６のステップＳ６０で図２の水温センサ３３によって検出される冷却水の水温ＴＷが蒸発器温度ＴＥより高いか否かを判定する。水温ＴＷが蒸発器温度ＴＥ以下であると判定すると、ステップＳ６１で図１のウォータポンプ３２のＯＦＦを決定し、図３のステップＳ１０を終了する。
【０１１０】
図６のステップＳ６０で水温ＴＷが蒸発器温度ＴＥよりも高いと判定すると、次に、ステップＳ６２で、室内用ブロワ１４をＯＮ（運転）する状態であるか否かを判定する。室内用ブロワ１４をＯＮしない状態であれば、ステップＳ６１に進み、ウォータポンプ３２をＯＦＦする決定を行い、図３のステップＳ１０を終了する。
【０１１１】
ステップＳ６２で室内用ブロワ１４をＯＮする状態であれば、ステップＳ６３に進み、ウォータポンプ３２のＯＮを決定し、ステップＳ１０を終了する。このように、エアコンＥＣＵ５０は、冷却水の水温ＴＷ、蒸発器温度ＴＥ、及び室内用ブロワ１４の運転及び停止に応じて、図１の電動のウォータポンプ３２の作動を決定する。このように、図１のエンジン３０の廃熱を利用してヒータコア３４が加熱される。
【０１１２】
（制御信号出力）
次に、図３のステップＳ１１において、上記各ステップＳ４〜ステップＳ１０で算出、または決定された各制御状態が得られるように、室内用ブロワ１４、インバータ８０、及び各種アクチュエータ等に対して制御信号を出力する。そして、図３のステップＳ１２において所定時間の経過を待って、ステップＳ２に戻り、継続して上記各ステップＳ２〜ステップＳ１２が実行される。
【０１１３】
以上の第１実施形態をまとめれば、以下の通りである。バッテリ１０２を搭載すると共に、外部電源１０６または１０７からの電力の供給を受ける外部電源導入手段１０５を備える車両に搭載され、熱交換用媒体が流れる車室内熱交換器７を空調ケース１０内に備えた車両用空調装置１００を備える。車両の駐車中において、熱交換用媒体を流すことなく、車室内熱交換器７を乾燥するために、外部電源１０６または１０７からの電力を用いて、車室内熱交換器７に送風して、車室内熱交換器乾燥制御を実行する空調ケース１０内に設けられた送風機１４、及び送風開始により車室内に吹出される車室内熱交換器７の臭いが実質的に消えたことを推定して送風機１４を停止する推定手段（ステップＳ４６及びＳ４７）を有する。
【０１１４】
これによれば、外部電源１０６または１０７を用いて、空調ケース１０内の送風機１４を作動させるので、バッテリ上がりの心配が無く、駐車中に、車室内熱交換器７を充分に乾燥させることができる。これによって、臭いがする水分を含んだ風が駐車終了後の空調開始時に吹き出すのを抑止できる。かつ、駐車中における細菌の繁殖を抑えることができるので、車室内熱交換器７の汚れを緩和することができ、更に、臭いの原因を少なくすることができ、また、車室内熱交換器７の腐食を抑えることができる。
【０１１５】
（他の実施形態）
以上、本発明の好ましい実施形態について説明したが、本発明は上述した実施形態に何ら制限されることなく、本発明の主旨を逸脱しない範囲において種々変形して実施することが可能である。
【０１１６】
上記実施形態の圧縮機２の回転数は、インバータ８０により制御される構成であるが、これに限定されるものではない。例えば、圧縮機２は、エンジン３０にベルト駆動されて冷媒を圧縮するものであってもよい。
【０１１７】
この場合、圧縮機２には、エンジン３０から圧縮機２への回転動力の伝達を断続するクラッチ手段としての電磁クラッチが連結されており、この電磁クラッチは、クラッチ駆動回路等により制御される。
【０１１８】
電磁クラッチが通電された時に、エンジン３０の回転動力が圧縮機２に伝達されて、蒸発器７による空気冷却作用が行われ、電磁クラッチの通電が停止した時に、エンジン３０と圧縮機２とが遮断され、蒸発器７による空気冷却作用が停止するようになる。
【０１１９】
なお、本発明の車両用空調装置を搭載できる車両は、電気自動車またはハイブリッド自動車に限らず、通常のガソリンエンジンまたはディーゼルエンジンで走行する車両であっても良い。また、外部電気と車両との接続は、コンセントとプラグを使用して接触式で給電しても良いし、非接触式で電磁誘導を利用して給電しても良い。
【０１２０】
また、車室内熱交換器は、冷媒を蒸発させる蒸発器に限らず、例えばブライン等の熱交換用媒体が流れる冷却用熱交換器にも本発明を適用できる。また、湿気を含んで異臭がするものであれば、その他の熱交換器であっても乾燥することが出来る。また、車両用空調装置は、ヒートポンプサイクルを利用したものであっても良い。
【０１２１】
また、車載太陽電池１０９の電力を、専用のバッテリに充電しておいて、駐車時に、車室内熱交換器を乾燥させる電力に利用しても良い。上記専用バッテリ無しで車載太陽電池１０９の電力で直接送風機を駆動しても良い。
【０１２２】
つまり、バッテリ１０２を搭載すると共に、車載太陽電池１０９を備える車両搭載され、熱交換用媒体が流れる車室内熱交換器７を空調ケース１０内に備えた車両用空調装置１００において、以下の構成を採用すれば良い。車両の駐車中において、熱交換用媒体を流すことなく、車室内熱交換器７を乾燥するために、車載太陽電池１０９からの電力を用いて、車室内熱交換器７に送風して、車室内熱交換器乾燥制御を実行する空調ケース１０内に設けられた送風機１４を備え、かつ送風開始により車室内に吹出される車室内熱交換器の臭いが実質的に消えたことを推定して送風機１４を停止する推定手段（ステップＳ４６及びＳ４７）を備える。この場合、予め車載太陽電池１０９の電力で蒸発器７乾燥制御を行うように、使用する電源を手動スイッチで選択するようにしても良い。
【０１２３】
これによれば、車載太陽電池１０９の電力を用いて、空調ケース１０内の送風機１４を作動させるので、バッテリ１０２のバッテリ上がりの心配が全く無く、駐車中に、車室内熱交換器７を乾燥させることができる。
【０１２４】
また、屋外に青空駐車する場合は、車載の太陽電池１０９またはバッテリ１０２に充分残っている電力を利用して車室内熱交換器７を乾燥させる電力を得るが、車両に外部電源導入手段となる給電用結合器１０５（図１）が結合されたことを、センサまたは電圧検出回路で検出すると、外部電源と成る太陽電池１０７、商用電源１０６の順に優先度を付けて送風機１４の電源を切り替えても良い。
【０１２５】
また、太陽電池１０７またはバッテリ１０２の電力を商用電源１０６の系統に戻さない場合は、双方向性のコンバータ１０８は不要であり、単なるコンバータで良い。また、乾燥の程度を測定するために、湿度センサとして窓曇り検出用の既存センサの出力を利用したが、専用の湿度センサを車室内や空調ダクト内に設けても良い。
【０１２６】
また、送風機は、車両用空調装置に既存のブロワを利用したが、専用の軸流ファンからなる送風機を空調ダクト内に設置して、車室内熱交換器７を乾燥させても良い。この場合、軸流ファンで、空気を蒸発器７から外気導入モードとされて開放されている外気導入口を介して、逆方向に風を起こして、蒸発器７を乾燥させ、湿った空気を外に出しても良い。
【０１２７】
また、遠隔操作できるリモコンまたはタイマーを用いて、乗員が駐車後の車両に戻る前に乾燥制御を実行することも出来る。この場合、圧縮機２（図１）は停止したままであるので、プレ空調のように比較的大きな電力を使用しないで、臭気の発生を防止できる。
【０１２８】
また、図２の外気湿度センサを外気導入口付近に設けて外気湿度を検出したが、本発明においては、ＩＧスイッチがＯＦＦされると、外気導入モードになるので、窓ガラスの曇りを検出するためのフロント窓付近の車室内空気の相対湿度ＲＨを外気湿度の代用とすることが出来る。また、窓ガラス表面相対湿度ＲＨＷを外気湿度の代用としても良い。
【０１２９】
即ち、車室内のフロント窓４９ａの内面付近の検出装置１１０内に設けられたフロント窓の内面付近の空気の代表的な湿度を検出できる湿度センサ４７の検出値を用いても良い。
また、相対湿度ＲＨ及び窓ガラス温度に基づいて窓ガラス表面相対湿度ＲＨＷを演算し、この窓ガラス表面相対湿度ＲＨＷを用いても、乾燥時間の推定が可能である。
【０１３０】
そして、蒸発器乾燥制御が開始されてからタイマーのカウントを開始していく間に、乾燥に要する推定時間は変化していくが、最短の推定時間に到達した時点で、送風を停止し、蒸発器乾燥制御を終了させれば良い。
【符号の説明】
【０１３１】
７…蒸発器（車室内熱交換器）
１０…空調ケース
１０ａ…空気通路
１３…内外気切替え手段を成す内外気切替ドア
１４…室内用ブロワ（送風機）
４４…蒸発器温度センサ
４７…湿度センサ
５０…エアコンＥＣＵ（空調制御装置）
ＴＥ…蒸発器温度（熱交換器温度）
１０２…バッテリ
１０３…電池ＥＣＵ
１０６…商用電源
１０７…太陽電池
１０８…コンバータ
１０９…車載太陽電池
【図１】
2011068155.tif 000003
【図２】
2011068155.tif 000004
【図３】
2011068155.tif 000005
【図４】
2011068155.tif 000006
【図５】
2011068155.tif 000007
【図６】
2011068155.tif 000008